(57)【特許請求の範囲】
【請求項１】
自動車のエンジンルームと車室とを仕切るダッシュパネルのエンジンルーム側に配設されたマスターシリンダーの前端部の構造であって、
前記マスターシリンダーの車体前方には、車体正面視で該マスターシリンダーよりも車体中央寄りにエンジンが搭載される一方、反対の車体外方寄りには車体正面視で前記マスターシリンダー乃至その近傍の所定範囲にオーバーラップして、前記エンジンの運転に関与する電装品が配設されており、
前記マスターシリンダーの前端部には、自動車の衝突時に後退する前記電装品を車体外方へ向かうようにガイドするガイド部が設けられ、
前記ガイド部は、マスターシリンダーの前端部において前端側ほど車体中央寄りに位置するように傾斜した傾斜面を有し、
前記電装品の重心位置は、車体正面視でマスターシリンダーよりも車体外方に位置することを特徴とするマスターシリンダー前端部構造。
【請求項２】
請求項１において、
前記マスターシリンダーはマスターバックを介してダッシュパネルに取り付けられ、
前記電装品は、車体正面視で前記マスターバックとオーバーラップするように配置されていることを特徴とするマスターシリンダー前端部構造。
【請求項３】
請求項１又は２のいずれかにおいて、
前記電装品はバッテリを含むことを特徴とするマスターシリンダー前端部構造。
【請求項４】
請求項３において、
前記マスターシリンダー前端のガイド部は、該マスターシリンダーの前端に取り付けられた別体のガイド部材からなることを特徴とするマスターシリンダー前端部構造。
【請求項５】
請求項４において、
前記ガイド部材は、マスターシリンダーの前端に形成されたボルト締結部に締結により固定されていることを特徴とするマスターシリンダー前端部構造。
【請求項６】
請求項４において、
前記ガイド部材は、マスターシリンダーの外周面を径方向に締め付ける把持状態と、非把持状態とに機械的に切り替え可能な把持機構を備えていることを特徴とするマスターシリンダー前端部構造。
【請求項７】
請求項４において、
前記ガイド部材は、マスターシリンダーの前端側に嵌め合わされる嵌合部を備え、この嵌合部が弾性変形することによりマスターシリンダーに外挿されるように構成されていることを特徴とするマスターシリンダー前端部構造。
【請求項８】
請求項４〜７のいずれか１つにおいて、
自動車の車幅方向に見て、前記ガイド部の傾斜面の少なくとも前部が電装品とオーバーラップしていることを特徴とするマスターシリンダー前端部構造。
【請求項９】
請求項８において、
マスターシリンダーの前端にはボルト締結部が形成され、
前記ガイド部は、前記ボルト締結部に締結により固定された別体のガイド部材からなることを特徴とするマスターシリンダー前端部構造。
【請求項１０】
請求項１〜９のいずれか１つにおいて、
マスターシリンダーは、その前端側ほど上方に位置するよう上下方向に傾斜して設けられていることを特徴とするマスターシリンダー前端部構造。
【発明の詳細な説明】
【技術分野】
【０００１】
本発明は、自動車の油圧ブレーキ装置におけるマスターシリンダー前端部の構造の技術分野に属する。
【背景技術】
【０００２】
従来より、一般に、自動車のエンジンルームと車室とを仕切るダッシュパネルの前面（エンジンルーム側の面）には、油圧ブレーキ装置のマスターシリンダーがマスターバック（バキュームサーボユニット）を介して取り付けられている。このマスターシリンダーはダッシュパネルから前方に延びるように設けられている一方、その後端には、マスターバック内のロッドやダッシュパネルを貫通するオペレーションロッドを介して、該ダッシュパネルの後方側（車室側）に位置するプレーキペダルが連結されている。
【０００３】
そのため、自動車の衝突時に車体前部が潰れ、エンジンルーム内のパワートレインやエンジン補機などが後退するときに、これによりマスターシリンダーが押されて後退すると、その後端に連結されているブレーキペダルも後退して、これを踏み操作しているドライバーの足に直接的に衝突荷重が作用する虞れがあった。
【０００４】
これに対し、例えば特許文献１には、前記のような衝突時の衝撃などによってブレーキペダルを支持するブラケットの一部が車体側部材から外れるようにしたペダル支持構造が開示されている。こうして車体側部材から外れたブラケットは、その枢着部位を中心に回動して、ブレーキペダルを前方に変位させるようになっており、このことで、ドライバーの足にブレーキペダルから直接的に衝突荷重が作用することは回避される。
【特許文献１】特開２００４−１１４７９３号公報
【発明の開示】
【発明が解決しようとする課題】
【０００５】
しかしながら、前記従来例のものでは、前後に長いマスターシリンダーの後退によってダッシュパネルが後方に大きく膨出するように変形することになるから、ドライバーの保護という観点において未だ改善の余地が残されている。
【０００６】
また、前記のように衝突によって車体前部が潰れるときには、エンジンへの燃料供給系統も破損して燃料が漏れることがあり、こうして漏れた燃料がバッテリなど電装品の付近に飛散すると、短絡などによる火花によって引火する可能性も存在する。
【０００７】
本発明は、斯かる諸点に鑑みてなされたものであり、その目的とするところは、自動車の衝突時にマスターシリンダーの後退を抑制して、これによるダッシュパネルの大変形を防止するとともに、そのマスターシリンダーを利用してバッテリなどの電装品をエンジンから遠ざけて、漏れた燃料への引火の可能性を可及的に低下させることにある。
【課題を解決するための手段】
【０００８】
前記の目的を達成するために、本発明では、マスターシリンダーの車体前方の車体外方寄りに電装品が配設されている場合に、この電装品が自動車の衝突時に後退するときに車体外方へ向かうようにガイドするガイド部を、前記マスターシリンダーの前端部に設けたものである。
【０００９】
具体的に、請求項１の発明は、自動車のエンジンルームと車室とを仕切るダッシュパネルのエンジンルーム側に配設されたマスターシリンダーの前端部の構造を対象として、前記マスターシリンダーの車体前方には、車体正面視で該マスターシリンダーよりも車体中央寄りにエンジンが搭載される一方、反対の車体外方寄りには車体正面視で前記マスターシリンダー乃至その近傍の所定範囲にオーバーラップして、前記エンジンの運転に関与する電装品が配設されており、前記マスターシリンダーの前端部には、自動車の衝突時に後退する前記電装品を車体外方へ向かうようにガイドするガイド部が設けられ、前記ガイド部は、マスターシリンダーの前端部において前端側ほど車体中央寄りに位置するように傾斜した傾斜面を有し、前記電装品の重心位置は、車体正面視でマスターシリンダーよりも車体外方に位置することを特徴とする。
【００１０】
すなわち、自動車が例えば前方の障害物に衝突して（前突）車体前部が潰れるときには、フロントバンパーやラジエータシュラウドなどが押し潰されるとともに、左右のフェンダやサイドフレームなども押し潰されて、エンジンルーム内のパワートレインやエンジン補機、或いは電装品などが後退することになる。
【００１１】
この際、前記の構成によると、マスターシリンダーの車体前方において車体正面視で車体外方寄りに該マスターシリンダー乃至その近傍の所定範囲にオーバーラップして配設されている電装品の後部が、そのマスターシリンダーの前端に前方乃至斜め前方から衝突することになるが、この電装品はマスターシリンダーの前端に設けられているガイド部によって車体外方へ向かうようにガイドされ、マスターシリンダーから車体外方に逸れて後退するようになる。
【００１２】
こうして前後に長いマスターシリンダーが電装品に押されて、そのまま後退することはなくなり、このマスターシリンダの後退によるダッシュパネルの変形が抑制される。
【００１３】
また、そうして電装品がマスターシリンダーから車体外方に逸れて後退することにより、この電装品はエンジンから遠ざけられることになるので、燃料供給系統から漏れた燃料への引火の可能性は従来よりもさらに低くなる。
【００１４】
また、前記マスターシリンダーのガイド部として、マスターシリンダーの前端部に前端側ほど車体中央寄りに位置するように傾斜した傾斜面を設るようにしたことで、極めて簡単な構成でありながら、後退する電装品を車体外方へ向かうようにガイドすることができる。
【００１５】
さらに電装品の重心位置が車体正面視でマスターシリンダーよりも車体外方に位置しているので、マスターシリンダーの前端に衝突した電装品を確実に車体外方に逸らせて後退させることができる。
【００１６】
ここで、前記の如く車体正面視で電装品とオーバーラップするマスターシリンダー近傍の所定範囲というのは、前記のように後退する電装品の後部がマスターシリンダーの前端に前方乃至斜め前方から衝突するような範囲のことであり、電装品とマスターシリンダー前端部との前後方向の間隔にもよるが、マスターシリンダーを中心として半径が約３〜６ｃｍまでの範囲であると考えられる。
【００１７】
或いは、前記マスターシリンダーがマスターバックを介してダッシュパネルに取り付けられている場合には、前記電装品が車体正面視で前記マスターバックとオーバーラップする範囲が、前記マスターシリンダー近傍の所定範囲ということもできる（請求項２の発明）。また、この場合には、車両衝突時に前記のように後退する電装品がマスターバックに衝突することになり、該マスターバックが変形して電装品による後方への衝撃力を吸収することになるので、ダッシュパネルの変形をさらに抑制することができる。
【００１８】
また、前記電装品として代表的にはバッテリが挙げられるが（請求項３）、それ以外にも例えば、オルタネータ、スタータモータ、イグニッションコイルなど、ケーブルを介してバッテリの端子に接続されていて、そのケーブルが破断したときに短絡する虞れのあるものが考えられる。
【００１９】
その場合に、前記傾斜面は、マスターシリンダーの前端部に一体に形成してもよいが、マスターシリンダーとは別体のガイド部材に傾斜面を形成し、このガイド部材をマスターシリンダーの前端に固定するようにしてもよい（請求項４の発明）。こうすれば、ガイド部を設ける場合でも設けない場合でも、マスターシリンダー自体は共通化できる。
【００２０】
より具体的に、前記ガイド部材は、例えばマスターシリンダーの前端に形成したボルト締結部に締結により固定すればよい（請求項５の発明）。こうすれば、簡単な構成でコストアップを最小限に抑えられる上に、ガイド部材を極めて容易に、しっかりと取り付けることができる。
【００２１】
或いは、前記ガイド部材には、マスターシリンダーの外周面を径方向に締め付ける把持状態と、非把持状態とに機械的に切り替え可能な把持機構を備えてもよい（請求項６の発明）。こうすれば、マスターシリンダー自体には何ら加工などすることなく、把持機構によってガイド部材をしっかりと取り付けることができる。
【００２２】
また、前記ガイド部材には、マスターシリンダーの前端側に嵌め合わされる嵌合部を備え、この嵌合部を弾性変形させてマスターシリンダーに外挿するように構成してもよい（請求項７の発明）。この場合もマスターシリンダー自体には何ら加工などすることなく、ガイド部材を極めて容易に取り付けることができる。
【００２３】
さらに、前記のようにマスターシリンダーの前端部に傾斜面を設ける場合に、より好ましいのは、その傾斜面の少なくとも前部を自動車の車幅方向に見て、電装品とオーバーラップさせることである（請求項８の発明）。こうすることで、自動車の衝突時に後退する電装品を傾斜面によって、より確実に車体外方へガイドすることができる。
【００２４】
そして、その場合には、前記傾斜面を、マスターシリンダー前端のボルト締結部に固定された別体のガイド部材に形成することが特に好ましい（請求項９の発明）。こうすれば、締結のためのボルトの長さを変更するだけで、傾斜面の自動車に対する前後の位置を変更できるから、ガイド部材は複数の車種において容易に共通化できる。
【００２５】
さらにまた、上述した構成において、前記マスターシリンダーは、その前端側ほど上方に位置するよう上下方向に傾斜して設けることが好ましい（請求項１０の発明）。すなわち、マスターシリンダーを前後に真っ直ぐに略水平に延びるように設けた場合は、その前端に衝突した電装品の後部が食い込み、マスターシリンダーが前後方向に突張ってガイド部が機能しなくなる可能性も残されているが、前記のようにマスターシリンダーを傾斜させれば、それが前後に突張ることはなくなり、上述したガイド部の機能がより確実に得られるようになる。
【発明の効果】
【００２６】
以上、説明したように、本発明に係るマスターシリンダー前端部構造によると、マスターシリンダーの車体前方の車体外方寄りに電装品が配設されている場合に、そのマスターシリンダーの前端部に、マスターシリンダーの前端部において前端側ほど車体中央寄りに位置するように傾斜した傾斜面を有するガイド部を設けるとともに、電装品の重心位置が、車体正面視でマスターシリンダーよりも車体外方に位置するようにして、自動車の衝突時に後退する前記電装品をマスターシリンダーから車体外方に逸らすようにしたので、マスターシリンダーの後退によってダッシュパネルが後方に大きく膨出変形することを防止して、ドライバーの安全性を従来より一層、改善できるとともに、マスターシリンダーを利用して、電装品をエンジンから遠ざけることにより、燃料への引火の可能性を可及的に低減できる。特に、前記ガイド部を所定の傾斜面とすることで、極めて簡単な構成により、衝突時に後退する電装品を車体外方へ向かうようにガイドすることができる。
【００２７】
その際に別体のガイド部材を用いるようにすれば（請求項４の発明）、傾斜面を設けない場合ともマスターシリンダー自体は共通化して、コストを低減することができる。
【００２８】
すなわち、前記ガイド部材をボルトによりマスターシリンダーに締結するようにすれば（請求項５の発明）、それを極めて容易にかつしっかりと取り付けることができるし、把持機構によって取り付けるようにすれば（請求項６の発明）、マスターシリンダー自体には何ら加工などすることなく、ガイド部材をしっかりと取り付けることができる。或いはガイド部材を弾性変形する嵌合部によってマスターシリンダーに取り付けるようにすれば（請求項７の発明）、この場合もマスターシリンダー自体には何ら加工などすることなく、ガイド部材を極めて容易に取り付けることができる。
【００２９】
また、請求項８の発明では、前記の如くマスターシリンダーの前端部に設けた傾斜面の少なくとも前部を、自動車の車幅方向に見て電装品とオーバーラップさせることで、この電装品をより確実に車体外方へガイドすることができる。
【００３０】
その場合に、前記傾斜面を別体のガイド部材に形成して、それをボルトによりマスターシリンダーに取り付けるようにすれば（請求項９の発明）、ボルトの長さを変更するだけで、ガイド部材を複数の車種で容易に共通化できる。
【００３１】
さらに請求項１０の発明では、マスターシリンダーを上下方向に傾斜させることにより、上述の如き効果をより確実に得ることができる。
【発明を実施するための最良の形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
（実施形態１）
図１は本発明のマスターシリンダー１の実施形態１を示し、このマスターシリンダー１は、例えば図２に一例を示すように、自動車（車両）のエンジンルームＲを後方（図の右方）の車室から仕切るダッシュパネル２の前面（エンジンルーム側の面）に、マスターバック３を介して取り付けられるものである。
【００３４】
図２は、ボンネットフードやフェンダなどの外板部材を省略して、エンジンルームＲの左半分を上方から見たものであり、この実施形態では、前記ダッシュパネル２の左側縁部の下端近傍から車体前方に向かって延びるように閉断面構造のフロントサイドフレーム４が設けられ、このフロントサイドフレーム４の上縁部には、エンジンルームＲを左側（図の下側）のホイールハウスから仕切るエプロンメンバ５の下縁部が接合されている。
【００３５】
そのエプロンメンバ５の後縁部は前記ダッシュパネル２の左側縁部に接合されている。一方、エプロンメンバ５の前縁部の上端付近には、ラジエータシュラウドのアッパパネル６の左端部が結合されている。このエプロンメンパ５の前後の中間部位には、図示しないサスペンションユニットを収容するサスペンションハウジングがエンジンルームＲ側に膨出するように設けられている。
【００３６】
また、前記フロントサイドフレーム４の前端部には、クラッシュカン７ａを介してバンパービーム７の左端部が結合されていて、その前後の中間部には、図示しないマウント部材を介してパワートレインＰＴの変速機Ｔ側の端部が支持されている。すなわち、この実施形態では、エンジンルームＲ内のパワートレインＰＴは、その出力軸を車幅方向に向けて横置きに搭載されていて、相対的に右側にエンジンＥが、また、左側に変速機Ｔが位置しており、そのエンジンＥの変速機Ｔ側の端部（左端部）は、車体正面視でマスターシリンダー１よりも車体中央寄り（この実施形態では相対的に右側寄り）に位置している。
【００３７】
そして、前記変速機Ｔの上方でエンジンＥと前記エプロンメンバ５との中間に挟まれるようにして、バッテリ８（電装品）が配置されている。このバッテリ８は、概略矩形のボックス状であり、車体正面視で、その重心位置Ｇがマスターシリンダー１よりも車幅方向の車体外方（この実施形態では左側）に位置しているとともに、車体中央寄り（右寄り）の端部は、マスターシリンダー１前端の後述するガイド部１３の車体外方側の端部とオーバーラップしている。
【００３８】
つまり、エンジンルームＲにおいて、マスターシリンダー１の車体前方には、車体正面視で該マスターシリンダー１よりも車体中央寄りにエンジンＥが搭載される一方、反対の車体外方寄りには車体正面視で前記マスターシリンダー１とオーバーラップするように、バッテリ８が配設されている。尚、この実施形態では、前記バッテリ８の前方に近接してエンジンコントローラ（図示せず）が配設されている。
【００３９】
尚、この実施形態では、図８に示すように側方（同図では車体左側）から見て明らかなように、マスターシリンダー１は、その前端側ほど上方に位置するよう上下方向に傾斜して設けられている。
【００４０】
図１に拡大して示すように、この実施形態のマスターシリンダー１は、例えばアルミ合金製の概略筒状のシリンダボディ１０内に、図示しないが、各々ピストンを収容する２つの液圧室を直列に設けたタンデム型のものである。シリンダボディ１０の後端にはマスターバック３の中心孔に嵌入される円筒状の嵌入部１０ａと、該マスターバック３の前面に接合されるフランジ部１０ｂ，１０ｂとが一体に形成されている。
【００４１】
また、そうしてマスターバック３に装着された状態で上方を向くようにして、シリンダボディ１０の外周にはリザーバタンク１１（同図(b)にのみ仮想線で示す）の配設されるボス部１０ｃ，１０ｃが一体に形成されるとともに、同装着状態で側方を向くようにして、ブレーキ配管１２，１２（同図(a)にのみ仮想線で示す）の接続される接続部１０ｄ，１０ｄが一体に形成されている。
【００４２】
そして、本発明の特徴部分として、前記シリンダボディ１０の前端には、そこからさらにシリンダボディ１０の長さ方向に延びるようにして、楔状のガイド部１３が一体に形成されている。このガイド部１３は、後述の如く自動車の前突時などに後退するバッテリ８を車幅方向の車体外方（左方）に向かうようにガイドするものであり、そのように後退するバッテリ８に当接して、その移動方向を偏向させる傾斜面１３ａを有している。
【００４３】
すなわち、前記ガイド部１３の傾斜面１３ａは、前記のようにマスターバック３に取り付けられたマスターシリンダー１の前端部において、車体外方（左方）の斜め前方を臨むように、即ち前端側ほど車体中央寄り（右側寄り）に位置するように形成され、この実施形態では車体前後方向に対して約３０°の傾斜角度（４５°以下であることが好ましい）とされている。この傾斜面１３ａの後端部は、マスターシリンダー１のシリンダボディ１０から車幅方向外方（左方）にはみ出したガイド部１３の車体外方側の端部であり、車体前後方向に見ると、バッテリ８の車体中央寄りの端部とオーバーラップしている。また、図８のように車幅方向に見れば、前記傾斜面１３ａの前側部位がバッテリ８の後部とオーバーラップしている。
【００４４】
つまり、前記ガイド部１３の傾斜面１３ａは、その車体外方（左方）斜め前方に位置するバッテリ８後端の車体中央寄り（右寄り）の隅部と対向し、この隅部を車体正面視及び車体側方視のいずれにおいても含むように配置されており、以下に説明するように自動車の前突時などに後退するバッテリ８の隅部を捉えて、その後退移動の方向を車体外方に向けるようになっている。
【００４５】
以上の如き構成により、例えば走行中の自動車が前方の障害物に衝突（前突）して、停止するときには、図３及び図４に示すように、車体前部が潰れて、バンパービーム７やシュラウドアッパパネル６などが押し潰されるとともに、クラッシュカン７ａ、フロントサイドフレーム４及びエプロンメンバ５も押し潰され、これらに押されて、バッテリ８やエンジンコントローラが車体後方に後退するようになる。
【００４６】
図の例では、オフセット衝突の場合が示されており、車体前部の左側が後方及び車体内方（右方）に潰れるため、バッテリ８などもやや斜め後ろに移動することになり、その結果として、マスターシリンダー１の車体前方において車体外方（左方）寄りに配置されているバッテリ８の後部が、該マスターシリンダー１の前端に斜め前方から衝突する。
【００４７】
そうして衝突したバッテリ８に押されて、前後に長いマスターシリンダー１がそのまま後退すると、これによりダッシュパネル２が変形して、後方の車室側に大きく膨出する虞れがあるが、この実施形態では、バッテリ８後端の車体中央寄りの部位が、マスターシリンダー１前端のガイド部１３の傾斜面１３ａに沿って車体外方（左方）にガイドされ、マスターシリンダー１から車体外方（左方）に逸らされる。
【００４８】
この際、バッテリ８の重心位置Ｇがマスターシリンダー１よりも車体外方（左方）に位置していることから、バッテリ８はその重心周りに回動し、その車体中央寄りの側面（右側面）をガイド部材１３に沿わせて、図３に示すようにマスターシリンダー１から車体外方（左方）に逸れて、後退するようになる。このため、そうして後退したバッテリ８が、図４に示すようにマスターバック３を押し潰すときでも、マスターシリンダー１はあまり後退していない。
【００４９】
つまり、この実施形態のマスターシリンダー前端部構造によると、前突時に自動車の車体前部が潰れて、パワートレインＰＴやバッテリ８が後退するときに、このバッテリ８の後方に位置するマスターシリンダー１の前端に設けられたガイド部１３によって、そのバッテリ８がマスターシリンダー１から車体外方に逸らされることになるので、前後に長いマスターシリンダー１が大きく後退してダッシュパネル２を大きく後方に膨出させることはなくなり、ドライバーの安全性が従来より一層、改善される。
【００５０】
また、そうしてバッテリ８がマスターシリンダー１から車体外方に逸れて後退することにより、このバッテリ８はエンジンＥから遠ざけられることになるので、仮に燃料供給系統から燃料が漏れたとしても、それに引火する可能性は従来よりもさらに低くなり、その可能性を可及的に低減することができる。
【００５１】
特に、この実施形態では、前記ガイド部１３の傾斜面１３ａがバッテリ８後端の隅部の近くに、これと対向して配置されているので、上述の如く後退するバッテリ８をより確実に捉えて、該バッテリ８を車体外方へガイドすることができ、前記の効果が安定的に得られるものである。
【００５２】
加えて、この実施形態では、前記マスターシリンダー１が前端側ほど上方に位置するよう上下方向に傾斜して設けられていることによっても、前記の効果が安定的に得られるようになる。すなわち、仮にマスターシリンダー１を前後に真っ直ぐに略水平に延びるように設けた場合は、その前端に衝突したバッテリ８の後部が食い込み、マスターシリンダー１が前後方向に突張る虞れがあり、こうなるとガイド部１３が機能しなくなる可能性もあるが、前記のようにマスターシリンダー１が傾斜していれば、それが前後に突張ることはなくなり、上述の如きガイド部１３の機能がより確実に得られるからである。
【００５３】
（実施形態２）
図５は、本発明の実施形態２に係るマスターシリンダー１を示す。このマスターシリンダー１のシリンダボディ１０の前端にはガイド部１３が形成されておらず、その代わりにボルト締結部１０ｅが形成されていて、前記実施形態１と同様の傾斜面１５ａを有する別体のガイド部材１５が取り付けられている。尚、この実施形態２のマスターシリンダー１の構成は、前記ボルト締結部１０ｅやガイド部材１５を除いて実施形態１のものと略同じなので、同じ部材には同一の符号を付して、その説明は省略する。
【００５４】
そして、この実施形態２では、前記ガイド部材１５は、略矩形の平板状に形成されて、その裏面から斜めに延びるボス部１５ｂにボルト１６が埋め込まれていて、このボルト１６により前記シリンダボディ１０のボルト締結部１０ｅに取り付けられている。こうしてシリンダボディ１０の前端に締結により固定された状態で、ガイド部材１５の表面は前記実施形態１のガイド部１３の傾斜面１３ａと略同じ位置にあり、それと同じ機能を有する傾斜面１５ａとなる。
【００５５】
したがって、この実施形態２の場合も、前記実施形態１と同じ作用効果が得られるとともに、ガイド部材１５がシリンダボディ１０とは別体であるから、これを取り付ける場合と取り付けない場合とでシリンダボディ１０自体は共通化でき、しかも、ガイド部材１５をボルト１６によってシリンダボディ１０に締結するという、極めて簡単な構成なので、コストアップは最小限に抑制できる。
【００５６】
また、ボルト１６によってガイド部材１５を極めて容易に、かつしっかりとシリンダボディ１０に取り付けることができる上に、そのボルト１６の長さを変更するだけで、傾斜面１５ａの前後の位置を変更できるから、ガイド部材１５も複数の車種で共用することができる。
【００５７】
（実施形態３）
図６は、本発明の実施形態３に係るマスターシリンダー１を示す。この実施形態３では前記実施形態２と同様にシリンダボディ１０の前端に別体のガイド部材１７を取り付けているが、その取付方法が異なっている。この実施形態３においても、実施形態１、２と同じ部材には同一の符号を付して、その説明は省略する。
【００５８】
そして、この実施形態３のガイド部材１７は、同図(a)(b)に示すように、上述した実施形態１のガイド部１３と略同じ傾斜面１７ａを有する楔形状とされていて、その後端から後方に向かって延びるに左右２つのブラケット部１７ｂ，１７ｂが形成され、さらに、そのブラケット部１７ｂ，１７ｂの後端に円環状のクランプ１８（把持機構）が連結されている。このクランプ１８は、例えば図(c)に模式的に示すように、シリンダボディ１０の下側外周を半周以上に亘って取り囲む下側クランプ部材１８ａと、この下側クランプ部材１８ａに対し着脱可能に連結された上側クランプ部材１８ｂとからなり、それらの連結部１８ｃ，１８ｄのいずれかを解除すれば（非把持状態）、容易にシリンダボディ１０から取り外すことができる一方、両連結部１８ｃ，１８ｄを連結すれば、シリンダボディ１０の外周面を径方向に締め付けて（把持状態）、しっかりと取り付けることができる。
【００５９】
したがって、この実施形態３の場合も、前記実施形態１と同じ作用効果が得られるとともに、前記実施形態２と同様に、ガイド部材１７の有無に拘わらずシリンダボディ１０を共通化でき、しかも、その前端部にボルト締結部１０ｅを設けるための加工が不要になるので、標準仕様のマスターシリンダー１を使用することができる。
【００６０】
（実施形態４）
図７は、本発明の実施形態４に係るマスターシリンダー１を示す。この実施形態４でも前記実施形態２、３と同様にシリンダボディ１０の前端に別体のガイド部材１９を取り付けるようにしており、その両実施形態のものとは取付方法が異なるだけである。従って、実施形態１〜３と同じ部材には同一の符号を付して、その説明は省略する。
【００６１】
そして、この実施形態４のガイド部材１９は、例えば樹脂などの比較的大きく弾性変形する素材を成形加工して、図示の如く、実施形態１、３などと略同じ傾斜面１９ａを有する楔形状とし、さらに、その後端から後方に向かって延びる筒状の嵌合部１９ｂを形成したものである。この嵌合部１９ｂは、その内径がシリンダボディ１０の前端側の外径と略同じで、側壁には、ブレーキ配管１２の接続部１０ｄが挿通する貫通孔が形成されている。そして、その嵌合部１９ｂを弾性変形させてシリンダボディ１０に外挿し、その前端側に嵌め合わせることで、ガイド部材１９を極めて容易にシリンダボディ１０に取り付けることができる。
【００６２】
したがって、この実施形態４の場合も、前記実施形態１と同じ作用効果が得られるとともに、前記実施形態２、３と同様にガイド部材１９の有無に拘わらずシリンダボディ１０を共通化でき、しかも、シリンダボディ１０自体には何ら加工などする必要がないので、標準仕様のマスターシリンダー１を使用することができる。
【００６３】
尚、本発明の構成は、上述した実施形態１〜４に限定されるものではなく、それ以外の種々の構成をも包含する。すなわち、前記各実施形態では、いずれも、マスターシリンダー１の前端に設けたガイド部１３乃至ガイド部材１５、１７，１９に傾斜面１３ａ，１５ａ，１７ａ，１９ａを形成し、この傾斜面１３ａ，１５ａ，１７ａ，１９ａを、自動車の車体正面視及び車体側方視のいずれにおいてもバッテリ８後端の車体中央寄り（右寄り）の隅部を含むように、即ち、傾斜面の一部がバッテリ８とオーバーラップするように位置づけているが、これに限るものではない。
【００６４】
例えば、車体正面視でバッテリ８がマスターシリンダー１乃至マスターバック３とオーバーラップするように配置されている場合も、或いはマスターバック３の設けられていない自動車においては、車体正面視でバッテリ８がマスターシリンダー１の近傍の所定範囲にオーバーラップするように配置されている場合も、本発明の構成に含まれる。そして、その所定範囲とは、マスターシリンダー１を中心として半径が約３〜６ｃｍまでの範囲であると考えられる。
【００６５】
さらに、前記各実施形態では、マスターシリンダー１を上下方向に傾斜させて設けているが、これに限らず、マスターシリンダー１を略水平に設ける場合も本発明の構成に含まれる。
【００６６】
また、電装品としてはバッテリ８に限らず、それ以外にも例えば、オルタネータ、スタータモータ、イグニッションコイルなど、ケーブルを介してバッテリの端子に接続されていて、そのケーブルが破断したときに短絡する虞れのあるものを含む。
【産業上の利用可能性】
【００６７】
以上説明したように、本発明の前端部構造を有するマスターシリンダーは、自動車の衝突時にダッシュパネルの大変形を防止できるとともに、漏れた燃料への引火の可能性を可及的に低下させることができ、有用である。
【図面の簡単な説明】
【００６８】
【図１】本発明の実施形態１に係るマスターシリンダーの(a)上面図及び(b)側面図である。
【図２】同マスターシリンダーの配設された自動車のエンジンルームを、ボンネットフードやフェンダなどを省略して上方から見た説明図である。
【図３】衝突初期の車体前部の潰れを示す図２相当図である。
【図４】衝突後期の図３相当図である。
【図５】実施形態２に係る図１相当図である。
【図６】実施形態３に係る図１相当図である。
【図７】実施形態４に係る図１相当図である。
【図８】側方から見てマスターシリンダーの傾斜配置を示す説明図である。
【符号の説明】
【００６９】
Ｒ      エンジンルーム
１      マスターシリンダー
２      ダッシュパネル
３      マスターバック
８      バッテリ（電装品）
１０    シリンダボディ
１０ｅ  ボルト締結部
１３    ガイド部
１３ａ  傾斜面
１５    ガイド部材
１５ａ  傾斜面
１７    ガイド部材
１７ａ  傾斜面
１８    クランプ（把持機構）
１９    ガイド部材
１９ａ  傾斜面
１９ｂ  嵌合部
【図１】
0004706561.tif 000002
【図２】
0004706561.tif 000003
【図３】
0004706561.tif 000004
【図４】
0004706561.tif 000005
【図５】
0004706561.tif 000006
【図６】
0004706561.tif 000007
【図７】
0004706561.tif 000008
【図８】
0004706561.tif 000009